(57)【要約】      （修正有）【課題】膝掛け、座布団、腰当て、敷きマット等の多くの用途に用いることができる多目的布製品の提供。【解決手段】シート状部材１１の幅方向の中央部に略全長に亘って袋状部１２を形成し、この袋状部１２にクッション材１３を収容することにより、使用に当って、シート状部材１１と共に袋状部１２に収容したクッション材１３を、任意の位置で自由に折り曲げて、任意の形状にできるため、膝掛け、座布団、腰当て、敷きマット等の多くの用途に用いることが可能となる。クッション材１３には、独立気泡発泡合成樹脂層と連続気泡発泡剛性樹脂層が積層されたシート材、空気袋、易折曲部を設けたクッション材１３、複数の短尺のクッション材１３を長さ方向に並べて収容してなるものなどを用いることができる。【選択図】図１Ａ
2017093549.tif 000002
【特許請求の範囲】
【請求項１】
シート状部材の幅方向の中央部に略全長に亘って袋状部を形成し、該袋状部にクッション材を収容してなることを特徴とする多目的布製品。
【請求項２】
クッション材が、独立気泡発泡合成樹脂層と連続気泡発泡合成樹脂層とが積層されたシート材からなることを特徴とする請求項１に記載の多目的布製品。
【請求項３】
クッション材が、空気を注入して膨らますことができる空気袋からなることを特徴とする請求項１に記載の多目的布製品。
【請求項４】
クッション材に、クッション材を折曲可能にする幅方向に延びる易折曲部を、複数、長さ方向に間隔をあけて形成してなることを特徴とする請求項１、２又は３に記載の多目的布製品。
【請求項５】
袋状部に、複数の短尺のクッション材を長さ方向に並べて収容してなることを特徴とする請求項１、２、３又は４に記載の多目的布製品。
【請求項６】
袋状部が、矩形状のシート状部材の外方に延設した突出部を備えてなることを特徴とする請求項１、２、３、４又は５に記載の多目的布製品。
【発明の詳細な説明】
【技術分野】
【０００１】
本発明は、多目的布製品に関し、特に、膝掛け、座布団、腰当て、敷きマット等の多くの用途に用いることができる多目的布製品に関するものである。
【背景技術】
【０００２】
従来、保温具として、膝掛けにクッションを一体化したものが提案されている（例えば、特許文献１〜２参照）。
【０００３】
しかしながら、上記従来の保温具は、あくまでも、膝掛けにクッションを一体化した単機能のもので、膝掛け、座布団、腰当て、敷きマット等の多くの用途に用いることを目的とするものではなかった。
【先行技術文献】
【特許文献】
【０００４】
【特許文献１】特許第５７７８３４７号公報
【特許文献２】実用新案登録第３１２４３５８号公報
【発明の概要】
【発明が解決しようとする課題】
【０００５】
本発明は、膝掛け、座布団、腰当て、敷きマット等の多くの用途に用いることができる多目的布製品を提供することを目的とする。
【課題を解決するための手段】
【０００６】
上記目的を達成するため、本発明の多目的布製品は、シート状部材の幅方向の中央部に略全長に亘って袋状部を形成し、該袋状部にクッション材を収容してなることを特徴とする。
【０００７】
この場合において、クッション材が、独立気泡発泡合成樹脂層と連続気泡発泡合成樹脂層とが積層されたシート材からなるようにすることができる。
【０００８】
また、クッション材が、空気を注入して膨らますことができる空気袋からなるようにすることができる。
【０００９】
また、クッション材に、クッション材を折曲可能にする幅方向に延びる易折曲部を、複数、長さ方向に間隔をあけて形成してなるようにすることができる。
【００１０】
また、袋状部に、複数の短尺のクッション材を長さ方向に並べて収容してなるようにすることができる。
【００１１】
また、袋状部が、矩形状のシート状部材の外方に延設した突出部を備えてなるようにすることができる。
【発明の効果】
【００１２】
本発明の多目的布製品によれば、シート状部材の幅方向の中央部に略全長に亘って形成した袋状部にクッション材を収容してなるようにすることにより、使用に当たって、シート状部材と共に袋状部に収容したクッション材を、任意の位置で自由に折曲げて、任意の形状にするすることができるため、膝掛け、座布団、腰当て、敷きマット等の多くの用途に用いることができる。
【００１３】
また、クッション材が、独立気泡発泡合成樹脂層と連続気泡発泡合成樹脂層とが積層されたシート材からなるようにすることにより、断熱性（保温性）とクッション性の両者を備えるようにすることができる。
【００１４】
また、クッション材が、空気を注入して膨らますことができる空気袋からなるようにすることにより、コンパクトに収納することができる。
【００１５】
また、クッション材に、クッション材を折曲可能にする幅方向に延びる易折曲部を、複数、長さ方向に間隔をあけて形成してなるようにすることにより、クッション材を易折曲部で簡単に折曲げることができる。
【００１６】
また、袋状部に、複数の短尺のクッション材を長さ方向に並べて収容してなるようにすることにより、クッション材をクッション材が途切れた部分で簡単に折曲げることができる。
【００１７】
また、袋状部が、矩形状のシート状部材の外方に延設した突出部を備えてなるようにすることにより、身体全体に適用することができる多目的布製品を提供することができる。
【図面の簡単な説明】
【００１８】
【図１Ａ】本発明の多目的布製品の一実施例を示す平面図である。
【図１Ｂ】同横断面図である。
【図２】同クッション材の説明図である。
【図３】同クッション材の説明図である。
【図４】同易折曲部を形成したクッション材の説明図である。
【図５】同易折曲部を形成したクッション材の説明図である。
【図６】同短尺のクッション材の説明図である。
【図７】同空気袋からなるクッション材の説明図である。
【図８】同使用形態を示す説明図である。
【図９Ａ】本発明の多目的布製品の変形実施例を示す平面図である。
【図９Ｂ】同横断面図である。
【図１０】同使用形態を示す説明図である。
【発明を実施するための形態】
【００１９】
以下、本発明の多目的布製品の実施の形態を、図面に基づいて説明する。
【００２０】
図１Ａ及び図１Ｂに、本発明の多目的布製品の一実施例を示す。
この多目的布製品１は、シート状部材１１の幅方向の中央部に略全長に亘って袋状部１２を形成し、この袋状部１２にクッション材１３を収容するようにしている。
ここで、シート状部材１１及び袋状部１２は、基本的に、一体構造のものとし（ファスナー等を用いてその一部を分離可能にすることもできる。）、袋状部１２に収容したクッション材１３は、必要に応じて、袋状部１２から取り出すことができるようにする。
ここで、シート状部材１１は、全体が略矩形状（角部に丸みを付したり、角部を落として斜めに形成したもの等を含む。）に形成したものを好適に用いることができる。
【００２１】
この場合において、シート状部材１１及び袋状部１２には、織布、編布、毛布、不織布、樹脂シート等のシート状材料を用いることができ、好ましくは、厚手の織布、編布、毛布等の保温性を有する布地を好適に用いることができる。
【００２２】
シート状部材１１及び袋状部１２の全体の大きさは、用途や使用者に合わせて適宜設定することができるが、縦８０ｃｍ×横１２０ｃｍを標準的な大きさとして、それぞれ±２０ｃｍ程度の大きさに設定することが好ましい。
【００２３】
また、クッション材１３には、発泡合成樹脂材料のほか、固綿、不織布等のクッション材として用いられる任意の材料を使用することができる。
このうち、特に、発泡合成樹脂材料を好適に用いることができるが、図２に示すように、発泡合成樹脂材料のうち、独立気泡発泡合成樹脂材料は、断熱性（保温性）は良好である反面、クッション性は連続気泡発泡合成樹脂材料より劣り、一方、連続気泡発泡合成樹脂材料は、クッション性は良好である反面、断熱性（保温性）は独立気泡発泡合成樹脂材料より劣っている。
このため、クッション材１３を、独立気泡発泡合成樹脂層１３ａと連続気泡発泡合成樹脂層１３ｂとが積層されたシート材からなるようにすることにより、断熱性（保温性）とクッション性の両者を備えるようにすることができる。
ここで、独立気泡発泡合成樹脂層１３ａの厚さを５ｍｍ程度以下とすることにより、フィット感が良好となり、一層保温性能を高めることができる。
また、連続気泡発泡合成樹脂材料や固綿の周囲をフィルム１３ｃで包んで使用することにより、断熱性（保温性）を高めることができる。
【００２４】
クッション材１３に、独立気泡発泡合成樹脂層１３ａと連続気泡発泡合成樹脂層１３ｂとが積層されたシート材を適用した多目的布製品１は、シート状部材１１及び袋状部１２の表面が起毛した材料、例えば、毛布を使用することによって、表と裏で同じように膝掛けとして使用することができるが、表と裏で使用感が異なる製品として使い分けができる。すなわち、独立気泡発泡合成樹脂層１３ａを上にして使用すると、早く暖まり、少し硬めの感触の製品になり、連続気泡発泡合成樹脂層１３ｂを上にして使用すると、クッション性が非常に良好で、柔らかな感触になり、徐々に暖まる製品となる。
【００２５】
クッション材１３に、独立気泡発泡合成樹脂層１３ａと連続気泡発泡合成樹脂層１３ｂとが積層されたシート材を適用する場合、図３に示すように、独立気泡発泡合成樹脂層１３ａ及び連続気泡発泡合成樹脂層１３ｂを積層した２層のシート材とするほか、連続気泡発泡合成樹脂層１３ｂの両面に独立気泡発泡合成樹脂層１３ａを積層した３層のシート材とすることもできる。
【００２６】
また、図４に示すように、クッション材１３に、クッション材１３を折曲可能にする幅方向に延びる易折曲部１３ｄを、複数、長さ方向に間隔をあけて形成することができる。
易折曲部１３ｄの形成方法は、成形したクッション材１３に切り込みや熱成形によって切れ目や溝を入れることにより形成したり、クッション材１３の成形時に切れ目や溝を入れることにより形成することができる。
また、切れ目や溝の形状は、矩形、Ｖ形状等、任意の形状とすることができ、切れ目や溝の入れ方も、片面側、両面側（同じ位置）、両面側（千鳥状）等、任意に選択することができる。
これにより、クッション材１３を易折曲部１３ｄで簡単に折曲げることができる。
【００２７】
また、クッション材１３に、独立気泡発泡合成樹脂層１３ａと連続気泡発泡合成樹脂層１３ｂとが積層されたシート材を適用する場合、図５に示すように、独立気泡発泡合成樹脂層１３ａ及び連続気泡発泡合成樹脂層１３ｂを積層した２層のシート材の場合は、連続気泡発泡合成樹脂層１３ｂにのみ易折曲部１３ｄを形成するようにし、連続気泡発泡合成樹脂層１３ｂの両面に独立気泡発泡合成樹脂層１３ａを積層した３層のシート材の場合は、両面側（千鳥状）に易折曲部１３ｄを形成するようにする。
これにより、易折曲部１３ｄからクッション材１３が破断しにくくすることができる。
【００２８】
また、図６に示すように、袋状部１２に、複数の短尺のクッション材１３を長さ方向に並べて収容することができる。
これにより、クッション材１３をクッション材１３が途切れた部分で簡単に折曲げることができる。
【００２９】
また、図７に示すように、クッション材１３に、空気を注入して膨らますことができる空気袋を適用することができる。
これにより、コンパクトに収納することができる。
【００３０】
この多目的布製品１によれば、略矩形状のシート状部材の幅方向の中央部に略全長に亘って形成した袋状部にクッション材を収容してなるようにすることにより、使用に当たって、シート状部材と共に袋状部に収容したクッション材を、任意の位置で自由に折曲げて、任意の形状にするすることができるため、膝掛け、座布団、腰当て、敷きマット等の多くの用途に用いることができる。
具体的には、図８に示すように、膝掛けと座布団を兼ねるように椅子の脚部から座部にかけて配置したり（１Ａ）、腰部を保温できるようにそれよりやや上に配置したり（１Ｂ）、座布団と背当てを兼ねるようにそれより上の椅子の座部から背部にかけて配置したり（１Ｃ）、座布団として使用するために椅子の座部に二つ折りにして配置したり（１Ｄ）、腰当てとして使用するために椅子の座部に四つ折りにして（又は丸めて）配置したり（１Ｅ）、さらには、図１Ａに示すように、展開した状態で床面に敷くことによって敷きマットとして用いることができる。
【００３１】
また、図９Ａ及び図９Ｂに、本発明の多目的布製品の変形実施例を示す。
この多目的布製品１は、袋状部１２が、矩形状のシート状部材１１の外方に延設した突出部１２ａを備えるようにしている。
これにより、身体全体に適用することができる多目的布製品を提供することができる。
【００３２】
この多目的布製品１によれば、図１０に示すように、膝掛けと座布団を兼ねるように椅子の脚部から座部、さらに、背部にかけて配置することによって、身体全体を理想的な状態で保温できるようにしたり（１Ｆ）、図９Ａに示すように、展開した状態で床面に敷くことによって敷きマットとして用いたり、さらには、折り畳んで座布団のようにして使用する場合もクッション材１３の厚みが増えることによって、よりクッション性のある状態で使用でき、また、シート状部材１１のみを折り畳み、クッション材１３を収容した袋状部１２の下敷きにすれば３人程度が座れる長尺の座布団として用いることができる。
【００３３】
以上、本発明の多目的布製品について、その実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００３４】
本発明の多目的布製品は、１つの製品で、膝掛け、座布団、腰当て、敷きマット等の多くの用途に用いることができるという特性を有していることから、室内用、車内用の布製品の用途に好適に用いることができる。
【符号の説明】
【００３５】
１  多目的布製品
１１  シート状部材
１２  袋状部
１２ａ  突出部
１３  クッション材
１３ａ  独立気泡発泡合成樹脂層
１３ｂ  連続気泡発泡合成樹脂層
１３ｃ  フィルム
１３ｄ  易折曲部
【図１Ａ】
2017093549.tif 000003
【図１Ｂ】
2017093549.tif 000004
【図２】
2017093549.tif 000005
【図３】
2017093549.tif 000006
【図４】
2017093549.tif 000007
【図５】
2017093549.tif 000008
【図６】
2017093549.tif 000009
【図７】
2017093549.tif 000010
【図８】
2017093549.tif 000011
【図９Ａ】
2017093549.tif 000012
【図９Ｂ】
2017093549.tif 000013
【図１０】
2017093549.tif 000014